(57)【要約】      （修正有）【課題】デジタルテレビ受信機が、通信コンテンツを取得することができない場合でも、テレビジョン放送局は、視聴者にとって有用な情報を提供する。【解決手段】情報処理装置１は、放送コンテンツを受信する第１の受信部（放送波受信部２０）と、通信コンテンツを受信する第２の受信部（通信部２７）と、放送コンテンツと通信コンテンツとを表示部に表示させる表示制御部２６と、を備える。第２の受信部が通信コンテンツを受信できない場合に、表示制御部は、放送コンテンツと、通信コンテンツ以外のコンテンツと、を表示部に表示させる。【選択図】図２
2016096498.tif 000002
【特許請求の範囲】
【請求項１】
放送コンテンツを受信する第１の受信部と、
通信コンテンツを受信する第２の受信部と、
前記放送コンテンツと前記通信コンテンツとを表示部に表示させる表示制御部と、
を備え、
前記第２の受信部が前記通信コンテンツを受信できない場合に、
前記表示制御部は、前記放送コンテンツと、前記通信コンテンツ以外のコンテンツと、
を表示部に表示させる情報処理装置。
【請求項２】
コンテンツを記憶する記憶部を備え、
前記第２の受信部が前記通信コンテンツを受信可能にする設定をなされていないことによって、
前記第２の受信部が前記通信コンテンツを受信できない場合に、
前記表示制御部は、前記放送コンテンツと前記記憶部に記憶されたコンテンツと
を表示部に表示させる請求項１に記載の情報処理装置。
【請求項３】
コンテンツを記憶する記憶部を備え、
前記第２の受信部が受信するための前記通信コンテンツが存在しないことによって、
前記第２の受信部が前記通信コンテンツを受信できない場合に、
前記表示制御部は、前記放送コンテンツと前記記憶部に記憶されたコンテンツと
を表示部に表示させる請求項１に記載の情報処理装置。
【請求項４】
前記通信コンテンツを受信可能にする設定をするためのコンテンツを記憶する記憶部を備え、
前記第２の受信部が前記通信コンテンツを受信できない場合に、
前記表示制御部は、前記放送コンテンツと前記記憶部に記憶されたコンテンツと
を表示部に表示させる請求項１に記載の情報処理装置。
【請求項５】
前記第２の受信部が前記通信コンテンツを受信できない場合に、
前記表示制御部は、前記放送コンテンツと前記放送コンテンツに含まれるデータから成るコンテンツと
を表示部に表示させる請求項１に記載の情報処理装置。
【請求項６】
情報処理装置における方法において、
前記情報処理装置が、放送コンテンツを受信する第１の過程と、
前記情報処理装置が、通信コンテンツを受信する第２の過程と、
前記情報処理装置が、前記放送コンテンツと前記通信コンテンツとを表示部に表示させる第３の過程と、を有し、
前記第２の過程が前記通信コンテンツを受信できない場合に、
前記第３の過程は、前記放送コンテンツと、前記通信コンテンツ以外のコンテンツと、
を表示部に表示させることを特徴とする情報処理方法。
【請求項７】
情報処理装置のコンピュータに、
放送コンテンツを受信するための第１の受信手順、
通信コンテンツを受信するための第２の受信手順、
前記放送コンテンツと前記通信コンテンツとを表示部に表示させる表示制御手順、
前記通信コンテンツを受信できない場合に前記放送コンテンツと前記通信コンテンツ以外のコンテンツとを表示部に表示する手順と、
を実行するための情報処理プログラム。
【発明の詳細な説明】
【技術分野】
【０００１】
本発明は、情報処理装置、情報処理方法、及び情報処理プログラムに関する。
【背景技術】
【０００２】
テレビジョン放送局は、放送番組等（放送コンテンツとも称する）を、放送波を通して送信し、視聴者のデジタルテレビ受信機に提供する。それと並行して、テレビジョン放送局は、放送コンテンツに関する補足情報等のコンテンツ（通信コンテンツとも称する）を、インターネットを通して配信し、視聴者のデジタルテレビ受信機に情報提供する、という放送通信連携サービスがある。例えば、データ放送も、放送通信連携サービスの１つである。データ放送においては、写真や地図等を含む情報量の大きなコンテンツの一部は、デジタルテレビ受信機のインターネット接続機能を利用することによって、インターネット回線を通して提供されている。
また最近では、新たな放送通信連携サービスの１つとして、例えば、Ｈｙｂｒｉｄｃａｓｔ（ハイブリッドキャスト）（登録商標）を用いたサービスがある。Ｈｙｂｒｉｄｃａｓｔとは、放送コンテンツの映像上に通信コンテンツの映像を重畳させて１つの映像とし、Ｈｙｂｒｉｄｃａｓｔ対応のデジタルテレビ受信機のディスプレイにその映像を表示させるための基盤技術である。
【０００３】
ところで、放送通信連携サービスでは、例えば、視聴者のデジタルテレビ受信機においてインターネット接続のための通信設定がされていなかったり、インターネット回線に障害が発生して通信コンテンツが配信されなかったりした場合には、デジタルテレビ受信機は通信コンテンツを取得することができない。
特許文献１では、デジタルテレビ受信機が、ネットワークの障害発生時に、ネットワーク経路上のトラブルの内容を診断する。そして、デジタルテレビ受信機が、その診断結果を示すメッセージを、ディスプレイに表示をする。
また、下記の特許文献２では、ＬＡＮ（Ｌｏｃａｌ  Ａｒｅａ  Ｎｅｔｗｏｒｋ；構内通信網）ケーブルで接続される接続用機器を介して、インターネットに接続するテレビ受信機について、ＬＡＮケーブルが接続されていないならばエラーメッセージを放送番組コンテンツに重畳して表示させることが記載されている。
【先行技術文献】
【特許文献】
【０００４】
【特許文献１】特開２００５−３４７８８８号公報
【特許文献２】特開２００７−１１６３２０号公報
【発明の概要】
【発明が解決しようとする課題】
【０００５】
しかしながら上記の従来技術では、デジタルテレビ受信機が、何らかの理由によって、通信コンテンツを取得することができなかった場合については、デジタルテレビ受信機は、
「ＬＡＮケーブルが接続されていません」乃至は「現在、インターネットの何らかの障害により、接続できません」といったメッセージを表示したりするだけであった。すなわち、従来技術においては、テレビジョン放送局などの相手側は、視聴者にとって有用な情報を提供することができないという課題があった。
【０００６】
本発明は上記の点に鑑みてなされたものであり、デジタルテレビ受信機が、通信コンテンツを取得することができなかった場合に、通信コンテンツ表示領域の部分に、通信コンテンツ以外のより有益なコンテンツを表示させる。それによって、テレビジョン放送局が、視聴者にとって有用な情報を提供することができる情報処理装置、情報処理方法、及び情報処理プログラムを提供する。
【課題を解決するための手段】
【０００７】
（１）本発明は上記の課題を解決するためになされたものであり、本発明の一態様は、  放送コンテンツを受信する第１の受信部と、通信コンテンツを受信する第２の受信部と、  前記放送コンテンツと前記通信コンテンツとを表示部に表示させる表示制御部と、を備え、前記第２の受信部が前記通信コンテンツを受信できない場合に、前記表示制御部は、前記放送コンテンツと、前記通信コンテンツ以外のコンテンツと、を表示部に表示させる情報処理装置である。
【０００８】
（２）また、本発明の一態様は、（１）の情報処理装置において、コンテンツを記憶する記憶部を備え、前記第２の受信部が前記通信コンテンツを受信可能にする設定をなされていないことによって、前記第２の受信部が前記通信コンテンツを受信できない場合に、前記表示制御部は、前記放送コンテンツと前記記憶部に記憶されたコンテンツとを表示部に表示させることを特徴とする。
【０００９】
（３）また、本発明の一態様は、（１）の情報処理装置において、コンテンツを記憶する記憶部を備え、前記第２の受信部が受信するための前記通信コンテンツが存在しないことによって、前記第２の受信部が前記通信コンテンツを受信できない場合に、前記表示制御部は、前記放送コンテンツと前記記憶部に記憶されたコンテンツとを表示部に表示させることを特徴とする。
【００１０】
（４）また、本発明の一態様は、（１）の情報処理装置において、前記通信コンテンツを受信可能にする設定をするためのコンテンツを記憶する記憶部を備え、前記第２の受信部が前記通信コンテンツを受信できない場合に、前記表示制御部は、前記放送コンテンツと前記記憶部に記憶されたコンテンツとを表示部に表示させる請求項１に記載の情報処理装置。
【００１１】
（５）また、本発明の一態様は、（１）の情報処理装置において、前記第２の受信部が前記通信コンテンツを受信できない場合に、前記表示制御部は、前記放送コンテンツと前記放送コンテンツに含まれるデータから成るコンテンツとを表示部に表示させることを特徴とする。
【００１２】
（６）また、本発明の一態様は、情報処理装置における方法において、前記情報処理装置が、放送コンテンツを受信する第１の過程と、前記情報処理装置が、通信コンテンツを受信する第２の過程と、前記情報処理装置が、前記放送コンテンツと前記通信コンテンツとを表示部に表示させる第３の過程と、を有し、前記第２の過程が前記通信コンテンツを受信できない場合に、前記第３の過程は、前記放送コンテンツと、前記通信コンテンツ以外のコンテンツと、を表示部に表示させることを特徴とする情報処理方法である。
【００１３】
（７）また、本発明の一態様は、情報処理装置のコンピュータに、放送コンテンツを受信するための第１の受信手順、通信コンテンツを受信するための第２の受信手順、  前記放送コンテンツと前記通信コンテンツとを表示部に表示させる表示制御手順、前記通信コンテンツを受信できない場合に前記放送コンテンツと前記通信コンテンツ以外のコンテンツとを表示部に表示する手順、を実行することを特徴とする情報処理プログラムである。
【発明の効果】
【００１４】
本発明によれば、デジタルテレビ受信機が、通信コンテンツを取得することができなかった場合に、デジタルテレビ受信機は、通信コンテンツ表示領域に、通信コンテンツ以外のコンテンツを表示させる。それによって、デジタルジョン放送局は、視聴者にとって有用な情報を提供することができる。
【図面の簡単な説明】
【００１５】
【図１】本実施形態に係る放送連携通信システムの一例を示す概略図である。
【図２】本実施形態に係る情報処理装置の構成の一例を示す概略ブロック図である。
【図３】本発明の第１の実施形態に係る情報処理装置の一例を示す概略図である。
【図４】本発明の第１の実施形態に係る情報処理装置の動作の一例を示すフローチャートである。
【図５】本発明の第２の実施形態に係る情報処理装置の動作の一例を示すフローチャートである。
【図６】本発明の第３の実施形態に係る情報処理装置の動作の一例を示すフローチャートである。
【発明を実施するための形態】
【００１６】
（第１の実施形態）
以下、図面を参照しながら本発明の実施形態について詳しく説明する。本実施形態に係る放送通信連携システムの一例を示す概略図である。
第１の実施形態の放送通信連携システムは、情報処理装置１（デジタルテレビ受信機）と、テレビジョン放送局２と、コンテンツサービスプロバイダー３と、インターネット４と、を含む。テレビジョン放送局２は、テレビジョン放送局等が制作した放送コンテンツを放送波を通して送信するための、電波塔や人工衛星等の電波送信基地局も含む。コンテンツサービスプロバイダー３は、ｉＤＣ（Ｉｎｔｅｒｎｅｔ  Ｄａｔａ  Ｃｅｎｔｅｒ；インターネットデータセンター）等の、ＷＷＷ（Ｗｏｒｌｄ  Ｗｉｄｅ  Ｗｅｂ；ワールドワイドウェブ）サーバー収容施設も含む。第１〜第３の実施形態を通じて、放送通信連携システムは、上述のＨｙｂｒｉｄｃａｓｔである。
【００１７】
デジタルテレビ受信機１は、テレビジョン放送局２の電波送信基地局から送信された放送波を受信する。テレビジョン放送局２が送信する放送波には、映像信号、音声信号、データ信号が含まれている。また、データ信号には、ＳＩ情報（Ｓｅｒｖｉｃｅ  Ｉｎｆｏｒｍａｔｉｏｎ；番組配列情報）や、通信コンテンツが格納されているインターネット上の場所を示すＵＲＬ（Ｕｎｉｆｏｒｍ  Ｒｅｓｏｕｒｃｅ  Ｌｏｃａｔｏｒ；統一資源位置指定子）等の情報も含まれている。
【００１８】
例えば、コンテンツサービスプロバイダー３は、テレビジョン放送局２からの依頼を受けて、通信コンテンツの作成を依頼する。テレビジョン放送局２又はコンテンツサービスプロバイダー３又はその両者は、通信コンテンツをインターネットに接続されたコンテンツサーバーに格納している。
【００１９】
デジタルテレビ受信機１は、受信した放送波を、映像信号、音声信号、データ信号に分離する。デジタルテレビ受信機１は、データ信号の部分に含まれているＵＲＬの情報に基づいて、インターネット回線を通してコンテンツサーバーにアクセスし、通信コンテンツを取得する。そして、デジタルテレビ受信機１は、放送コンテンツの映像上に通信コンテンツの映像を重畳する映像処理を施す。そして、その映像を、デジタルテレビ受信機１のディスプレイに表示する。
【００２０】
図２は、本実施形態に係る情報処理装置の構成の一例を示す概略ブロック図である。
本実施形態の情報処理装置１は、放送波受信部２０と、復調部２１と、分離部２２と、表示制御部２６と、通信部２７と、ＲＯＭ（Ｒｅａｄ  Ｏｎｌｙ  Ｍｅｍｏｒｙ；読み出し専用メモリ）２８と、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）２９と、音声復号部３０と、映像復号部３１と、を備える。
【００２１】
放送波受信部２０は、テレビジョン放送局から送信された放送波を受信する。放送波受信部２０は、受信した放送波を復調部２１に出力する。
【００２２】
復調部２１は、テレビジョン放送局が変調して送信した放送波を復調する。なお、ここでは、放送波を復調して得られた信号を、放送コンテンツの信号と呼ぶ。復調部２１は、放送コンテンツの信号を分離部２２に出力する。
【００２３】
分離部２２は、放送コンテンツの信号を、音声信号２３と、映像信号２４と、データ信号２５と、に分離する。分離部２２は、音声信号２３を音声復号部３０に、映像信号２４を映像復号部３１に、データ信号２５を表示制御部２６に出力する。
【００２４】
表示制御部２６は、データ信号に含まれるＵＲＬが示すインターネット上の場所に格納された通信コンテンツを取得するため、ＵＲＬを通信部２７に出力する。通信部２７は、インターネット回線を通して、ＵＲＬが示すインターネット上の場所（アドレス）にアクセスして通信コンテンツの取得を試みる。
【００２５】
なお、上記通信コンテンツの取得についての詳細は、例えば、以下のようになる。
分離部２２で分離されたデータ信号２５には、ＢＭＬ（Ｂｒｏａｄｃａｓｔ  Ｍａｒｋｕｐ  Ｌａｎｇｕａｇｅ）というデータ放送向けの記述言語で記述されたデータが含まれている。データ信号に含まれるデータには、デジタルテレビ受信機においてＩＰ（Ｉｎｔｅｒｎｅｔ  Ｐｒｏｔｏｃｏｌ）接続が確立しているかを確認するための、ｉｓＩＰＣｏｎｎｅｃｔｅｄ（）という放送用拡張関数が記述されている。ｉｓＩＰＣｏｎｎｅｃｔｅｄ（）は、ＩＰ接続が確立していない場合には、戻り値「０」を返す。また、ＩＰ接続が確立している場合には、戻り値「１」又は「２」を返す関数である。
【００２６】
また、データ信号に含まれるデータには、放送コンテンツに関連する通信コンテンツを取得するための、ｓａｖｅＨｔｔｐＳｅｒｖｅｒＦｉｌｅＡｓ（）という放送用拡張関数が記述されている。ｓａｖｅＨｔｔｐＳｅｒｖｅｒＦｉｌｅＡｓ（）は、第１引数で指定する通信コンテンツサーバ上のファイルを第２引数で指定するパス先に蓄積するための関数である。すなわち、この第１引数に、通信コンテンツが格納された場所（アドレス）を示すＵＲＬが記述されている。
上記の関数は、ＡＲＩＢ（社団法人電波産業会）によって策定されているデジタル放送のデータ放送における標準規格の１つである。
したがって、まずｉｓＩＰＣｏｎｎｅｃｔｅｄ（）により、ＩＰ接続が確立しているかを確認する。そして、確立していた場合には、ｓａｖｅＨｔｔｐＳｅｒｖｅｒＦｉｌｅＡｓ（）によって、デジタルテレビ受信機は、インターネットを通して通信コンテンツを取得する。
【００２７】
ここで、通信部２７が正常に通信コンテンツを取得できた場合には、通信部２７は通信コンテンツを表示制御部に出力する。
一方、上記において、通信部２７が正常に通信コンテンツを取得できなかった場合には、表示制御部２６は、ＲＯＭ２８又はＲＡＭ２９に格納されたコンテンツ（オフラインコンテンツとも称する）を取得する。
【００２８】
なお、情報処理装置１のＲＯＭ２８に格納されたオフラインコンテンツとは、例えば、情報処理装置１が、インターネット回線に接続するための通信設定を促すためのコンテンツである。
表示制御部２６は、インターネットを通して取得した通信コンテンツ、又は、ＲＯＭ２８又はＲＡＭ２９から取得したオフラインコンテンツを映像復号部３１に出力する。
【００２９】
映像復号部３１は、分離部２２から入力された放送コンテンツの映像信号と、表示制御部２６から入力された通信コンテンツ又はオフラインコンテンツとの同期をとりながら、放送コンテンツ上に、通信コンテンツ又はオフラインコンテンツを重畳した映像を生成する。
音声復号部３０は、音声信号の復号をし、映像信号部３１と互いに同期をとりながら、音声出力部へ出力する。
【００３０】
図３（Ａ）、（Ｂ）は、本発明の第１の実施形態に係る情報処理装置の一例を示す概略図である。
図３（Ａ）、（Ｂ）において、デジタルテレビ受信機１が、放送コンテンツ上に各種コンテンツを重畳して、デジタルテレビ受信機のディスプレイに映像を表示した場合の例を示す。
図３（Ａ）、（Ｂ）において、デジタルテレビ受信機１ａ，１ｂのディスプレイ上には、放送コンテンツ表示領域１０ａ，１０ｂと、通信コンテンツ表示領域１１ａ，１１ｂが設けられている。また、デジタルテレビ受信機１ａ，１ｂには、有線のＬＡＮケーブルや、Ｗｉ−Ｆｉルーター（Ｗｉｒｅｌｅｓｓ  Ｆｉｄｅｌｉｔｙルーター；無線ＬＡＮ親機）との無線ＬＡＮ接続を介して、インターネット回線に接続するための機能が備えられている。
【００３１】
図３（Ａ）において、デジタルテレビ受信機１ａは、放送コンテンツ表示領域１０ａの下部領域に、通信コンテンツ１１ａを表示している。同様に図３（Ｂ）においては、デジタルテレビ受信機１ｂは、放送コンテンツ表示領域１０ｂの下部領域に、ＲＯＭ又はＲＡＭから取得したコンテンツ１１ｂを表示している。
図３（Ａ）は、デジタルテレビ受信機１ａにおいて、インターネット回線に接続するための通信設定が正しくなされている場合を示す。一方、図３（Ｂ）は、上記の通信設定が正しくなされていない場合を示す。
【００３２】
図３（Ａ）では、デジタルテレビ受信機１は、放送コンテンツ表示領域１０ａに「プロ野球中継」という放送コンテンツを表示している。そしてデジタルテレビ受信機１ａは、その放送コンテンツの下部領域に、通信コンテンツである「他球場の途中経過」の情報を表示している。すなわち、「プロ野球中継」の下部領域に、その補足情報である「他球場の途中経過」の情報を表示している。
図３（Ｂ）では、図３（Ａ）と同様に、デジタルテレビ受信機１ｂは、放送コンテンツ表示領域１０ｂに「プロ野球中継」の放送コンテンツを表示している。しかしながら、図３（Ｂ）では、デジタルテレビ受信機１は、インターネット回線に接続するための通信設定が正しくなされていない。したがって、図３（Ｂ）のデジタルテレビ受信機１は、ＲＯＭ又はＲＡＭから取得したコンテンツを、放送コンテンツの下部領域に表示する。
【００３３】
図３（Ｂ）の場合における、ＲＯＭ又はＲＡＭから取得したコンテンツとは、「通信接続設定がされていません」と表示される通知メッセージと、正しく通信設定をするための設定入力画面へ視聴者を誘導するための遷移ボタン「設定画面へ」である。
【００３４】
［情報通知装置の動作］
次に、この情報通知装置の動作について説明する。図４は、本発明の第１の実施形態に係る情報処理装置の動作の一例を示すフローチャートである。
（ステップＳ１０１）まず、放送波受信部２０は、放送局２が送信した放送波を受信する。次に、復調部２１は受信した放送波を復調する。そして、分離部２２は放送コンテンツの信号を、映像信号、音声信号、データ信号に分離する。その後、ステップＳ１０２へ進む。
【００３５】
（ステップＳ１０２）表示制御部２６は、データ信号に含まれるＳＩ情報を確認する。表示制御部２６は、インターネット回線を通して取得可能な通信コンテンツがあるか否かを、ＳＩ情報を確認した結果から知得する。その後、ステップＳ１０３へ進む。
（ステップＳ１０３）通信コンテンツが存在する場合はステップＳ１０４へ進む。通信コンテンツが存在しない場合は、以上で処理を終了する。
（ステップＳ１０４）情報処理装置１は、データ表示ボタンの待受けを開始する。なお、データ表示ボタンとは、例えば、デジタルテレビ受信機に付属のリモコンの前面に設置されたボタンである。ステップ１０５へ進む。
【００３６】
（ステップＳ１０５）情報処理装置１（デジタルテレビ受信機１）は、データ表示ボタンが押下されたことを検知した場合は、ステップＳ１０６へ進む。検知されていない場合は、本ステップＳ１０５にて留まる。
（ステップＳ１０６）表示制御部２６は、通信部２７に対して、インターネット回線に接続するための通信設定がなされているかを確認する。すでに通信設定がなされている場合は、ステップＳ１０７へ進む。通信設定がなされていない場合は、ステップＳ１０９へ進む。
（ステップＳ１０７）通信部２７は、インターネット回線に接続し、通信コンテンツを取得する。ステップＳ１０８へ進む。
【００３７】
（ステップＳ１０８）情報処理装置１は、放送コンテンツ上に、通信コンテンツを重畳させて、通信映像を表示する。以上で処理を終了する。
（ステップＳ１０９）表示制御部２６は、オフラインコンテンツを、ＲＯＭ２８から取得する。ここでのオフラインコンテンツとは、例えば、情報処理装置１がインターネットに正しく通信接続するための通信設定がなされていないことを、視聴者に通知するための通知メッセージ（例えば、「通信接続設定がされていません」という通知メッセージ）である。
もう１つのオフラインコンテンツは、例えば、情報処理装置１が正しく通信設定をするための設定入力画面へ視聴者を誘導するための遷移ボタンである。情報処理装置１は、放送コンテンツの下部領域にに、オフラインコンテンツを表示する。その後、ステップＳ１１０へ進む。
【００３８】
（ステップＳ１１０）表示制御部２６は、視聴者によるリモコン等を介しての操作によって上記の遷移ボタンが押下されたこと検知する。そして、情報処理装置１（デジタルテレビ受信機１）は、正しく通信設定をするための設定入力画面をディスプレイに表示する。以上で処理を終了する。
【００３９】
このように、本実施形態では、デジタルテレビ受信機において、インターネット回線に接続するための通信設定が正しくなされていないことによって、通信コンテンツを取得することができなかった場合について説明した。本実施形態において、デジタルテレビ受信機は、通信コンテンツを表示する代わりに、視聴者に通信設定を促すためのコンテンツをディスプレイに表示する。以上によって、デジタルジョン放送局は、視聴者にとって有用な情報を提供することができる。
【００４０】
（第２の実施形態）
以下、図面を参照しながら本発明の第２の実施形態について詳しく説明する。
上記第１の実施形態では、情報処理装置が、インターネット回線に接続するための通信設定が正しくなされていないことによって、通信コンテンツを取得することができない場合について説明をした。本実施形態では、通信障害の発生等により一時的にインターネット回線への通信接続ができなくなることによって、情報処理装置が一時的に通信コンテンツを取得することができない場合について説明をする。
【００４１】
第２の実施形態における放送通信連携システムの概略図及び情報処理装置の概略ブロック図については、第１の実施形態と同様に図１及び図２の通りであるため、説明は省略する。
［情報通知装置の動作］
次に、この情報通知装置の動作について説明する。図５は、本発明の第２の実施形態に係る情報処理装置の動作の一例を示すフローチャートである。
（ステップＳ２０１）まず、放送波受信部２０は、放送局２が送信した放送波を受信する。次に、復調部２１は受信した放送波を復調する。そして、分離部２２は放送コンテンツの信号を、映像信号、音声信号、データ信号に分離する。ステップＳ２０２へ進む。
【００４２】
（ステップＳ２０２）表示制御部２６は、データ信号に含まれるＳＩ情報を確認する。表示制御部は２６は、インターネット回線を通して取得可能な通信コンテンツがあるか否かを、ＳＩ情報を確認した結果から知得する。すなわち、表示制御部２６は、本放送コンテンツに関する補足情報等を提供する通信コンテンツが存在するかを知得する。ステップＳ２０３へ進む。
（ステップＳ２０３）通信コンテンツが存在する場合はステップＳ２０４へ進む。通信コンテンツが存在しない場合は、以上で処理を終了する。
【００４３】
（ステップＳ２０４）情報処理装置１（デジタルテレビ受信機１）は、データ表示ボタンの待受けを開始する。ステップ２０５へ進む。
（ステップＳ２０５）情報処理装置１は、データ表示ボタンが押下されたことを検知した場合は、ステップＳ２０６へ進む。検知されていない場合は、本ステップＳ２０５にて留まる。
（ステップＳ２０６）通信部２７は、通信コンテンツを取得するため、インターネット回線との接続を試みる。ステップＳ２０７へ進む。
【００４４】
（ステップＳ２０７）通信部２７が、インターネット回線へとの接続に成功し、通信コンテンツを取得できた場合には、ステップＳ２０８へ進む。通信障害の発生等により一時的にインターネット回線への通信接続ができなくなることによって、通信部２７が、一時的に通信コンテンツを取得することができない状況である場合には、ステップＳ２０９へ進む。
（ステップＳ２０８）情報処理装置１（デジタルテレビ受信機１）は、放送コンテンツの領域に、通信コンテンツを表示する。以上で処理を終了する。
【００４５】
（ステップＳ２０９）表示制御部２６は、通信障害等が発生する前に、予めインターネット回線を通して取得し、ＲＡＭ２９に格納していたオフラインコンテンツを、ＲＡＭ２９から取得する。予め格納していたオフラインコンテンツとは、例えば、イラスト、壁紙、動画、ゲーム等である。情報処理装置１（デジタルテレビ受信機１）は、通信コンテンツの表示領域に、このＲＡＭ２９から取得したオフラインコンテンツを表示させる。以上で処理を終了する。
【００４６】
このように、本実施形態によれば、デジタルテレビ受信機が、通信障害の発生等により一時的にインターネット回線への通信接続ができなくなることによって、情報処理装置が一時的に通信コンテンツを取得することができない場合について説明をした。本実施形態において、デジタルテレビ受信機は、放送コンテンツ上に通信コンテンツを重畳させて表示をする代わりに、通信障害等が発生する前に予めインターネット回線を通して取得し、ＲＡＭ２９に格納していたオフラインコンテンツを表示する。以上によって、デジタルテレビ受信機は、視聴者にとって有用な情報を提供することができる。
【００４７】
（第３の実施形態）
以下、図面を参照しながら本発明の第３の実施形態について詳しく説明する。
第１及び第２の実施形態では、情報処理装置が、何らかの理由によって、通信コンテンツを取得することができなかった場合に、情報処理装置が、放送コンテンツ上に通信コンテンツを重畳させて表示する代わりに、放送コンテンツ上にＲＯＭやＲＡＭに格納されているオフラインコンテンツを表示させる実施形態について説明をした。本実施形態では、何らかの理由によって、通信コンテンツを取得することができなかった場合に、放送コンテンツ上に通信コンテンツを重畳させて表示する代わりに、放送コンテンツの信号の中のデータ信号に含まれるコンテンツを重畳させて表示する方法について説明をする。
【００４８】
なお、第３の実施形態における放送通信連携システムの概略図及び情報処理装置の概略ブロック図については、第１及び第２の実施形態と同様に、図１及び図２の通りであるため、説明は省略する。
［情報通知装置の動作］
次に、この情報通知装置の動作について説明する。図６は、本発明の第３の実施形態に係る情報処理装置の動作の一例を示すフローチャートである。
【００４９】
（ステップＳ３０１）まず、放送波受信部２０は、放送局２が送信した放送波を受信する。次に、復調部２１は受信した放送波を復調する。そして、分離部２２は放送コンテンツの信号を、映像信号、音声信号、データ信号に分離する。ステップＳ３０２へ進む。
（ステップＳ３０２）表示制御部２６は、データ信号に含まれるＳＩ情報を確認する。表示制御部は２６は、インターネット回線を通して取得可能な通信コンテンツがあるか否かを、ＳＩ情報を確認した結果から知得する。すなわち、表示制御部２６は、本放送コンテンツに関する補足情報等を提供する通信コンテンツが存在するかを知得する。ステップＳ３０３へ進む。
【００５０】
（ステップＳ３０３）通信コンテンツが存在する場合はステップＳ３０４へ進む。通信コンテンツが存在しない場合は、以上で処理を終了する。
（ステップＳ３０４）情報処理装置１（デジタルテレビ受信機１）は、データ表示ボタンの待受けを開始する。ステップ３０５へ進む。
（ステップＳ３０５）情報処理装置１は、データ表示ボタンが押下されたことを検知した場合は、ステップＳ３０６へ進む。検知されていない場合は、本ステップＳ３０５にて留まる。
【００５１】
（ステップＳ３０６）表示制御部２６は、通信部２７に対して、インターネット回線に接続するための通信設定がなされているかを確認する。すでに通信設定がなされている場合は、ステップＳ３０７へ進む。通信設定がなされていない場合は、ステップＳ３０９へ進む。
（ステップＳ３０７）通信部２７は、通信コンテンツを取得するため、インターネット回線との接続を試みる。ステップＳ３０８へ進む。
【００５２】
（ステップＳ３０８）通信部２７が、インターネット回線へとの接続に成功し、通信コンテンツを取得できた場合には、ステップＳ３１０へ進む。通信障害の発生等により一時的にインターネット回線への通信接続ができなくなることによって、通信部２７が、一時的に通信コンテンツを取得することができない状況である場合には、ステップＳ３０９へ進む。
（ステップＳ３０９）情報処理装置１は、通信コンテンツの表示領域に、通信コンテンツを表示させる。以上で処理を終了する。
【００５３】
（ステップＳ３１０）表示制御部２６は、放送コンテンツの信号の中のデータ信号に含まれるコンテンツを取得する。ここでの、データ信号に含まれるコンテンツとは、例えば、データ放送による文字情報や、ＥＰＧ（Ｅｌｅｃｔｒｏｎｉｃ  Ｐｒｏｇｒａｍ  Ｇｕｉｄｅ；電子番組ガイド）による番組関連情報である。情報処理装置１（デジタルテレビ受信機１）は、通信コンテンツの表示領域に、から取得したコンテンツを表示させる。以上で処理を終了する。
【００５４】
このように、第３の実施形態では、情報処理装置が、何らかの原因によって、通信コンテンツを取得することができない場合について説明をした。何らかの原因とは、例えば、情報処理装置において、インターネット回線に接続するための通信設定が正しくなされていないためであったり、通信障害の発生等により一時的にインターネット回線への通信接続ができないためであったり、といった理由である。
【００５５】
第３の実施形態において、デジタルテレビ受信機は、放送コンテンツの表示領域に通信コンテンツを表示する代わりに、放送コンテンツの信号のデータ信号に含まれるコンテンツを表示する。以上によって、デジタルテレビ受信機は、視聴者にとって有用な情報を提供することができる。
【００５６】
なお、上記の第３の実施形態における実施例では、情報処理装置は、放送コンテンツの信号の中のデータ信号に含まれるコンテンツを表示する場合について説明をした。しかし、これは一例であり、その他例えば、放送コンテンツの信号の中の映像信号に含まれるコンテンツを表示してもよい。すなわち、その場合には、情報処理装置は、放送コンテンツの上に、別の放送コンテンツを重畳させて、ディスプレイに表示をさせることになる。
【００５７】
なお、上述した実施形態における情報処理装置１の一部、をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
【００５８】
なお、ここでいう「コンピュータシステム」とは、情報通信装置１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００５９】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【００６０】
また、上述した実施形態における情報通信装置１の一部、または全部を、ＬＳＩ（Ｌａｒｇｅ Ｓｃａｌｅ Ｉｎｔｅｇｒａｔｉｏｎ）等の集積回路として実現してもよい。情報通信装置１及び基地局装置２の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００６１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００６２】
１、１ａ、１ｂ・・・情報処理装置（デジタルテレビ受信機）、２・・・テレビジョン放送局、３・・・コンテンツサービスプロバイダー、４・・・インターネット、１０ａ、１０ｂ・・・放送コンテンツ表示領域、１１ａ、１１ｂ・・・通信コンテンツ表示領域、２０・・・放送波受信部、２１・・・復調部、２２・・・分離部、２３・・・音声信号、２４・・・映像信号、２５・・・データ信号、２６・・・表示制御部、２７・・・通信部、２８・・・ＲＯＭ、２９・・・ＲＡＭ、３０・・・音声復号部、３１・・・映像復号部
【図１】
2016096498.tif 000003
【図２】
2016096498.tif 000004
【図３】
2016096498.tif 000005
【図４】
2016096498.tif 000006
【図５】
2016096498.tif 000007
【図６】
2016096498.tif 000008